(57)【特許請求の範囲】
【請求項１】
装置筐体内に設けられてディスク状記録媒体にデータ記録し、また記録した内容を再生して記録状態の適否を検査するレコーダと、該ディスク状記録媒体のレーベルに印刷を行うレーベルプリンタと、前記ディスク状記録媒体を収納するスタッカを備えた収納装置と、前記レコーダ、レーベルプリンタ、収納装置の間で前記ディスク状記録媒体の搬送を行う搬送装置とを有して、記録用のディスク状記録媒体にデータ記録及びレーベル印刷を自動的に行うディスク作製システムにおいて、
前記レコーダが、当該レコーダ内から飛出すように前方にエジェクトされ、また当該レコーダ内に収納されるようにローディングされる前記ディスク状記録媒体の載置される記録用トレイを備えると共に、当該記録用トレイがエジェクトされた際に、該記録用トレイの上下左右方向及びエジェクト方向の位置決めを行うエジェクト位置決部を設けたことを特徴とするディスク作製システム。
【請求項２】
前記エジェクト位置決部が、前記記録用トレイのベゼル中心位置に設けられた当接穴と、
装置の筐体に前記レコーダを固定するレコーダ支持部材の前記当接穴に対応する位置に設けられて、前記記録用トレイがエジェクトされた際に前記当接穴に挿嵌して当該記録用トレイの位置決めを行なう当接ピンとを有することを特徴とする請求項１記載のディスク作製システム。
【請求項３】
前記当接ピンが、前記当接穴に挿嵌するピンと、
前記当接穴の周辺ベゼルと当接してエジェクト方向の位置決めを行う当接面とを備えていることを特徴とする請求項２記載のディスク作製システム。
【請求項４】
前記エジェクト位置決部が、前記記録用トレイがエジェクトされた際に自重により先端部が垂れ下がっても、前記当接穴がスムースに前記ピンに挿嵌されるように当該記録用トレイを下支えしながらガイドするガイド板を有することを特徴とする請求項１乃至３いずれか１項記載のディスク作製システム。
【発明の詳細な説明】
【０００１】
【発明の属する技術分野】
本発明は、データが記録されていないディスク状記録媒体にデータ記録及びレーベル印刷が自動的に行えるディスク作製システムに関する。
【０００２】
【従来の技術】
今日、情報記録媒体としては種々のメディアが普及し、その中でもディスク状記録媒体は記憶容量が大きい等の理由から注目を浴びており、このようなディスク状記録媒体として従来個別ユーザによるデータ記録できないＣＤ−ＲＯＭが一般的であったが、近年追記可能なＣＤ−Ｒ、書換可能なＣＤ−ＲＷ等が普及し始めている。
【０００３】
このような状況にあって、例えば企業が作製したソフトウェアの評価版として、所謂α版やβ版等を作製する場合、ＣＤ−ＲやＣＤ−ＲＷによる作製が経済的で有効である。以下、これらを単にＣＤと記載する。
【０００４】
しかし、このような用途に用いるＣＤの枚数は、例えば５０枚、１００枚単位となるため、これを１枚ずつ作製したのでは制作者の拘束時間が多大になるので、この程度の枚数のＣＤを自動作製するディスク作製システムが提案されている。
【０００５】
図９は、米国特許公報第５７３４６２９号公報に開示されているディスク作製システムの構成図で、当該ディスク作製システム１００は、データをＣＤに記録すると共に記録が適正に行われたか否かを検査するレコーダ１３０、ＣＤのレーベルに印刷処理を行なうレーベルプリンタ１２０、記録用ＣＤが収納される記録用ＣＤスタッカ１５１、データが正しく記録されたＣＤを収納する記録済ＣＤスタッカ１５２、記録が正しく行われなかったＣＤを収納する不良ＣＤスタッカ１５３及びＣＤを搬送するアーム１４１を備えた搬送装置１４０等により構成されている。
【０００６】
そして、外部接続されたパーソナルコンピュータ等から記録データや印刷データを受信してＣＤのデータ記録及びレーベル印刷を自動作製するようになっている。
【０００７】
このような作製は、以下の手順で行われる。先ず、記録用ＣＤスタッカ１５１に所望枚数の記録用ＣＤを収納する。これにより、搬送装置１４０が記録用ＣＤスタッカ１５１から記録用ＣＤを１枚取出し、レコーダ１３０の記録用トレイ１３１に載置し、パーソナルコンピュータから記録データが送られてきて記録が行われる。
【０００８】
なお、記録用ＣＤスタッカ１５１、記録済ＣＤスタッカ１５２、不良ＣＤスタッカ１５３は、回転テーブルに設けられて搬送装置１４０の動きに同期して回転するようになっている。
【０００９】
次に、記録が行われたＣＤのデータを読出し、記録したデータとの照合を行って、当該データ記録が正しく行われたか否かの検査を行う。
【００１０】
正しく記録されていた場合には、搬送装置１４０が当該ＣＤをレコーダ１３０からレーベルプリンタ１２０に搬送し、当該レーベルプリンタ１２０でパーソナルコンピュータからの印刷データに基づき印刷が行われる。その後、搬送装置１４０は、レーベルプリンタ１２０から当該ＣＤを取出し記録済ＣＤスタッカ１５２に収納する。
【００１１】
一方、ＣＤにデータが正しく記録されなかった場合には、当該ＣＤはレーベルプリンタ１２０に搬送されず、そのまま不良ＣＤスタッカ１５３に搬送される。
【００１２】
このような処理が所望する枚数のＣＤに対して順次自動的に行われ、全て終了するとユーザは作製したＣＤを取出して、例えばＣＤケース等に１枚ずつ詰める。
【００１３】
【発明が解決しようとする課題】
しかしながら、上記構成では記録用ＣＤスタッカ１５１から取出したＣＤをレコーダ１３０の記録用トレイ１３１に載置する際に、当該記録用トレイ１３１のエジェクト位置にバラツキがあるためＣＤの載置位置もバラツキ、時にはローディングミスやＣＤを痛めたり不都合があった。
【００１４】
即ち、レコーダ１３０には記録用トレイ１３１をローディングし、またエジェクトするためのローディング機構が設けられている。そして記録用トレイ１３１をローディングした際に重要になるのは、ＣＤをチャックするターンテーブルチャックとＣＤとの位置関係で、ＣＤが記録用トレイ１３１に正しく載置されていることを前提として、当該位置関係は記録用トレイ１３１のローディング位置を規定することにより確保されるようになっている。
【００１５】
通常、パーソナルコンピュータ等に設けられているＣＤプレーヤの記録用トレイ１３１には、ＣＤを載置する皿状の凹部１３２が形成されて、ユーザはこの凹部１３２を確認してＣＤを載置するようになってる。
【００１６】
ところが、上述したディスク作製システム１００においては、処理が自動的に行われるため凹部１３２を確認してからＣＤを載置することが行われず、ＣＤを載置する際にはそこに凹部１３２が位置しているという前提のもとで搬送装置１４０はＣＤのチャッキングを解除する。
【００１７】
従って、記録用トレイ１３１のエジェクト位置にバラツキがあると、ＣＤを凹部１３２に正しく載置することができなくなり、当該凹部１３２からはみ出した状態でローディングが行われてしまう。ターンテーブルチャックは、所定の場所にＣＤがあるものとしてチャッキング動作するため、ＣＤが正しく凹部１３２に載置されていなければチャッキングミス、チャッキング不良を起こしたり、時にはＣＤを痛めたりする事態が発生する。
【００１８】
なお、上記米国特許公報第５７３４６２９号公報に開示されているディスク作製システムにおいては、図示しない赤外線位置検出器を設けて、ＣＤの載置位置を検出するようになっているが、これでは装置がコストアップしてしまう問題がある。
【００１９】
そこで、本発明は、安価、かつ、簡単な構成で記録用トレイのエジェクト位置決めが行えるようにしたディスク作製システムを提供することを目的とする。
【００２０】
【課題を解決するための手段】
上記課題を解決するため、請求項１にかかる発明は、装置筐体内に設けられてディスク状記録媒体にデータ記録し、また記録した内容を再生して記録状態の適否を検査するレコーダと、該ディスク状記録媒体のレーベルに印刷を行うレーベルプリンタと、ディスク状記録媒体を収納するスタッカを備えた収納装置と、レコーダ、レーベルプリンタ、収納装置の間でディスク状記録媒体の搬送を行う搬送装置とを有して、記録用のディスク状記録媒体にデータ記録及びレーベル印刷を自動的に行うディスク作製システムにおいて、レコーダが当該レコーダ内から飛出すように前方にエジェクトされ、また当該レコーダ内に収納されるようにローディングされるディスク状記録媒体を載置する記録用トレイを備えると共に、当該記録用トレイがエジェクトされた際に、該記録用トレイの上下左右方向及びエジェクト方向の位置決めを行うエジェクト位置決部を設けて、安価、かつ、簡単な構成で記録用トレイのエジェクト位置決めが行えるようにしたことを特徴とする。
【００２１】
請求項２にかかる発明は、エジェクト位置決部が、記録用トレイのベゼル中心位置に設けられた当接穴と、装置の筐体にレコーダを固定するレコーダ支持部材の当接穴に対応する位置に設けられて、記録用トレイがエジェクトされた際に当接穴に挿嵌して当該記録用トレイの位置決めを行なう当接ピンとを有することを特徴とする。
【００２２】
請求項３にかかる発明は、当接ピンが、当接穴に挿嵌するピンと、当接穴の周辺ベゼルと当接してエジェクト方向の位置決めを行う当接面とを備えていることを特徴とする。
【００２３】
請求項４にかかる発明は、エジェクト位置決部が、記録用トレイがエジェクトされた際に自重により先端部が垂れ下がっても、当接穴がスムースにピンに挿嵌されるように当該記録用トレイを下支えしながらガイドするガイド板を有することを特徴とする。
【００２４】
【発明の実施の形態】
本発明の実施の形態を図を参照して説明する。図１は、本発明にかかるディスク作製システム１０の外観斜視図を示している。図２〜図５は筐体ケースを取り除いた際の内部構成を示す図で、図２は斜視図、図３は上面図、図４は正面図、図５は右側面図である。
【００２５】
なお、後述するようにスタッカ２１は透明部材により形成されているが、構成を分かりやすくするために不透明部材と同様に図示していることを敢えて注記する。
【００２６】
当該ディスク作製システム１０は、開閉自在な前面扉１２が設けられた筐体１１を有し、前面パネルには収納庫１４，１５，１６の開口が設けられると共に、動作状態を表示する各種の表示器１３が設けられている。
【００２７】
収納庫１４には、データ記録されていない記録用ＣＤが収納される記録用ＣＤスタッカ２１ａが設置され、収納庫１５にはデータ記録及びレーベル印刷が正常に行われたＣＤを収納する記録済ＣＤスタッカ２１ｂが設置され、さらに収納庫１６にはデータ記録が正常に行われなかったＣＤを回収収納する回収箱２２が設置されるようになっている。
【００２８】
なお、以下の説明では、記録用ＣＤスタッカ２１ａと記録済ＣＤスタッカ２１ｂとは、後述するように同じ構成であるので、これらを特に区別する必要がない場合には適宜スタッカ２１と総称して記載する。
【００２９】
筐体１１内部にはＣＤにデータを記録し、また記録した内容を再生して記録の適否を検査するレコーダ１７、ＣＤのレーベルに印刷を行うレーベルプリンタ１８、スタッカ２１や回収箱２２が収納される収納装置１９、ＣＤをレコーダ１７やレーベルプリンタ１８び収納装置１９の間で搬送する搬送装置２０等により構成されている。
【００３０】
前面扉１２は、収納庫１４，１５，１６の開口を１枚の扉で覆うように形成されて、室内の埃等が当該開口から装置内部に進入するのを防止するために設けられている。
【００３１】
後述するようにＣＤへのデータ記録及びレーベル印刷はバッチ処理で行われ、スタッカ２１や回収箱２２の出入は処理開始時と終了時だけである。従って、各収納庫１４，１５，１６の開口に扉を個別に設けるとその開閉が煩わしくなるので１枚扉としている。
【００３２】
さらに、当該前面扉１２は透明な樹脂により形成されて、スタッカ２１等の設置状況や処理の進捗状況が一目で確認できるようになっている。
【００３３】
これにより、例えば記録用スタッカ２１ａから搬出されたＣＤ量に比べ、記録済スタッカ２１ｂのＣＤ量が異常に少ないような場合（即ち、回収箱２２に多量のＣＤが収納されている場合）には、記録用のＣＤに欠陥ある等の何らかのトラブルが発生していると考えられ、処理を継続するか中断して調査するかの判断情報が容易に得られるようになっている。
【００３４】
無論、パーソナルコンピュータでかかる判断情報を取得して判断することは可能であるが、この場合はディスプレーの表示内容から状況を判断する必要があるため、操作員が不在の時には判断できなかったりする不都合がある。
【００３５】
搬送装置２０は、ＣＤをチャッキングする搬送チャック２３を備えた水平アーム２４、該水平アーム２４を上下動させる昇降部２５、該昇降部２５を水平面内で揺動させることにより水平アーム２４を当該水平面内で揺動させる揺動部２６とにより構成されている。
【００３６】
昇降部２５は、スライダ２６が挿嵌された主柱２７を備え、該主柱２７の上端に設けられたプーリ２８と当該主柱２７の下端に設けられた昇降用モータ２９との間に架設された図示しないベルト又はワイヤを当該スライダ２６に連結することで、当該昇降用モータ２９を回転させてスライダ２６を上下動させるようになっている。
【００３７】
そして、スライダ２６には上述した水平アーム２４が固着されているので、昇降用モータ２９が動くことにより水平アーム２４が上下動する。
【００３８】
揺動部２６は、回転中心に主柱２７が固着された主柱揺動ギヤ５１及び当該主柱揺動ギヤ５１を回転させる揺動用モータ４５が設けられている。
【００３９】
レコーダ１７は、レコーダケース３０を有し、ディスク作製システム１０内の所定位置に当該レコーダ１７が位置するようにレコーダ支持部材３１により支持されている。
【００４０】
当該レコーダケース３０内には、記録用トレイ３２を出入れする図示しないローディング機構が設けられると共に、ＣＤを高速回転させてレーザスポットを照射することによりデータ記録し、また記録されたデータを再生する図示しない記録再生機構が設られている。
【００４１】
ＣＤの中心にはチャック穴が設けられて、記録再生機構の構成要素をなすターンテーブルチャックがこのチャック穴に挿嵌し、ターンテーブルが回転することによりＣＤが回転する。
【００４２】
ところで、ローディング機構は、一般にモータの動力によりカムやギヤを駆動して記録用トレイ３２をローディングしたりエジェクトしたりしている。
【００４３】
従って、記録用トレイ３２をローディングしたときは、ターンテーブルチャックとチャック穴との位置合わせが必要になるので、ローディング位置が高精度で位置決めできるようにローディング機構が構成されている。
【００４４】
しかし、記録用トレイ３２をエジェクトして、ＣＤを取出したり或いは載置してセットしたりする場合は、当該作業がユーザの手作業で行なわれるため、エジェクト位置に関しては高精度の位置決めが要求されていない。
【００４５】
ところが、搬送装置２０がＣＤを記録用トレイ３２に載置する際は、載置位置の確認を行わず所定位置に記録用トレイ３２が存在するものとして載置作業を行う。このため、記録用トレイ３２のエジェクト位置にバラツキが存在するとＣＤの載置位置にバラツキが発生してしまう。
【００４６】
このようなＣＤの載置位置がバラツクと、発明が解決しようとする課題の欄で説明したようにチャッキングミス、チャッキング不良、ＣＤの損傷等の問題が発生する場合がある。
【００４７】
このような問題に対応するには、エジェクト位置の位置決め精度が高いレコーダを用い又は開発すればよいが、そのためにはレコーダの大幅なコストアップを招き、装置の低コスト化を図る本発明の趣旨に反する。
【００４８】
そこで、本発明は、レコーダ１７として汎用品を用いると共に図６に示すように、レコーダ１７と独立してエジェクト位置決部３５を設けている。
【００４９】
このエジェクト位置決部３５は、図７に示すように、記録用トレイ３２におけるベゼル３６の中心位置に設けられた当接穴３７、該当接穴３７が挿嵌して記録用トレイ３２の上下左右方向の位置決めを行うと共に、エジェクト位置の位置決めを行う当接ピン３９、所定位置までエジェクトされた記録用トレイ３２の下支えを行うことにより当接穴３７が当接ピン３９にスムースに嵌るようにガイドするガイド板４０等により構成されている。
【００５０】
そして、当接ピン３９及びガイド板４０は、ベゼル３６と対向するようにレコーダ支持部材３１の先端部分に設けられている。
【００５１】
当接ピン３９は、当接穴３７が挿嵌されるピン部４１、当接穴３７の周囲のベゼル３６と当接して、記録用トレイ３２のエジェクト方向の位置決めを行う当接面４２、及び当該当接ピン３９をレコーダ支持部材３１にネジ止めするための貫通穴４３を備えたピン支持板４４により構成されている。
【００５２】
一方、ガイド板４０は概略四角形で、その３辺が打抜加工してレコーダ支持部材３１に形成された舌状部材で、先端部は自重で垂れ下がる記録用トレイ３２を掬い上げるように所定角度で折り曲げられている。
【００５３】
なお、当接穴３７は、図６に示すように、上側が円３７ａで下側が四角３７ｂに形成されている。当接ピン３９が円柱形状を有しているので、当該当接穴３７も円径であることが望ましいと考えられる。
【００５４】
上述したように記録用トレイ３２の上下左右方向の位置決めは、当接穴３７が当接ピン３９に嵌合することにより確保される。従って、当接穴３７と当接ピン３９とのクリアランスは位置決め精度を規定するので十二分に小さいことが望まれる。
【００５５】
しかし、このクリアランスを小さくすると、当接ピン３９が当接穴３７に挿入される際に働く挿入抵抗が大きくなってしまい、当該挿入抵抗により記録用トレイ３２のエジェクト動作が停止してしまう恐れがある。
【００５６】
即ち、当接穴３７と当接ピン３９との間に要求される要件は、クリアランスが小さく、かつ、挿入抵抗も小さいことである。
【００５７】
これらの要件を満たして記録用トレイ３２の上下左右方向の位置決めが行われるようにするには、当接穴３７と当接ピン３９とは少なくとも３点で上述したクリアランスを保っていればよい。
【００５８】
しかし、当接ピン３９が当接穴３７に挿入され、また挿出される際に発生する摩擦により樹脂材により形成されている当接穴３７が摩耗して大きくなる恐れがあり、上述した点支持による構成では長期的使用に対する信頼性を確保することが困難である。
【００５９】
そこで、本発明では、摩耗が多く発生する部分での点支持の点数を増やし、その他の部分での点支持の点数を少なくするようにようにしている。
【００６０】
但し、記録用トレイ３２は樹脂を材料として射出成形により形成されるため、点支持の点数を増やして多角形にすることはコストアップの要因になるので、当該部分は円形にし、その他の部分は点支持の点数をできるだけ少なくするようにしている。この場合、最も少ない点支持の数は１である。
【００６１】
このような観点から、上述したように本発明では当接穴３７を上側が円３７ａで下側が四角３７ｂに形成して、低コスト化及び信頼性を高めるようにしている。
【００６２】
レーベルプリンタ１８は、インクヘッド４６、印刷するＣＤが載置される印刷用トレイ４７、該印刷用トレイ４７の位置移動を行う図示しない記録用トレイ移動機構、インクヘッド４６の位置移動を行うインクヘッド移動機構４８等を有している。
【００６３】
このインクヘッド移動機構４８は、インクヘッド４６をＣＤのレーベル面に対して平行に往復運動させ、また記録用トレイ移動機構はインクヘッド４６が１往復するたびに所定ピッチずつ記録用トレイ３２をインクヘッド４６の移動方向と直交する方向に移動させるようになっている。
【００６４】
なお、記録用トレイ３２及び印刷用トレイ４７には、ＣＤの外径に対応した円形の凹部４９，５０が設けられて、記録用トレイ３２における凹部４９の中心位置は、当該記録用トレイ３２がローディングされた際にターンテーブルチャックの位置に対向するようになっており、また印刷する際には印刷用トレイ４７における凹部５０に対して印刷位置が決められる。
【００６５】
収納装置１９は、上述したように収納庫１４，１５，１６を有し、各収納庫１４にはデータ記録されていない記録用ＣＤが収納される記録用ＣＤスタッカ２１ａが設置され、収納庫１５にはデータ記録及びレーベル印刷が正常に行われたＣＤを収納する記録済ＣＤスタッカ２１ｂが設置され、さらに収納庫１６にはデータ記録が正常に行われなかったＣＤを回収収納する回収箱２２が設置されるようになっている。
【００６６】
スタッカ２１は、透明な樹脂部材（例えば、ポリカーボネート）により形成され、軽量化が図られると共に収納されたＣＤが視認できるようになっている。
【００６７】
図８はＣＤを収納したスタッカ２１の斜視図である。スタッカ２１は、上述したように透明部材により形成され、側面に取手５４が形成されると共に、水平アーム口５６が形成されたカップ形状を有し、内壁側面の円周方向３個箇所には、収納されたＣＤの収納位置決めを行う収納位置決めリブ５５を有するリブ枠５３が設けられている。
【００６８】
次に、上述した構成のディスク作製システム１０における動作手順を説明する。先ず、装置の前面扉１２を開き、各収納庫１４，１５，１６からスタッカ２１回収箱２２を取出す。
【００６９】
そして、処理枚数に相当する記録用ＣＤを記録用スタッカ２１ａにスタック収納して収納庫１４にセットし、また空の記録済スタッカ２１ｂ及び回収箱２２をそれぞれ収納庫１５，１６にセットする。
【００７０】
記録用スタッカ２１ａに記録用ＣＤをセットする際には、１枚づつ又は所定枚数づつ水平アーム口５６から手で押さえながらゆっくりと収納する。
【００７１】
このようにしてスタッカ２１ａに記録用ＣＤを収納すると、取手５４を把持して収納庫１４に収納する。また、空のスタッカ２１ｂも同様に収納庫１５に収納し、さらに空の回収箱２２も収納庫１６に収納する。
【００７２】
スタッカ２１が収納されると、前面扉１２を閉じてデータ記録及びレーベル印刷の処理を開始する。なお、記録データ及び印刷データはパーソナルコンピュータから順次送信されてくる。
【００７３】
処理が開始されると、先ず昇降用モータ２９が回転して、水平アーム２４を記録用スタッカ２１ａにおける水平アーム口５６の適宜上部位置まで移動させる。
【００７４】
その後、揺動用モータ４５が所定量回転して、水平アーム２４を水平アーム口５６からスタッカ２１に進入させ、搬送チャック２３をＣＤのチャック穴に挿嵌させる。
【００７５】
このとき、搬送チャック２３はチャック穴が所定位置にあるものとして動作し、当該チャック穴の位置確認を行わない。
【００７６】
上述したように、ＣＤは収納位置決めリブ５５によりスタッカ２１に対して位置決めされ、このスタッカ２１は係合爪６１が係合穴７６に係合することにより底板７０に対して位置決めされ、また搬送チャック２３は底板７０に対して位置決めされている。
【００７７】
従って、チャッキング時にチャック穴の位置確認を行わなくても、搬送チャック２３とチャック穴との位置ずれが生じる恐れがなく、確実にＣＤをチャッキングすることができるようになる。
【００７８】
このようにしてＣＤをチャッキングした後、水平アーム２４は昇動して水平アーム口５６から抜出たところで停止し、チャッキングしたＣＤがレコーダ１７やスタッカ２１等の他の部材に当たらない位置に位置するように揺動用モータ４５が回転して水平アーム２４を揺動させる。
【００７９】
その後、チャッキングしたＣＤが記録用トレイ３２より適宜高い位置になるように昇降用モータ２９が回転し、昇降用モータ２９の回転が停止すると、記録用トレイ３２がエジェクトされる。
【００８０】
当該記録用トレイ３２のベゼル３６には当接穴３７が設けられ、また対向する位置のレコーダ支持部材３１には当接ピン３９が設けられると共にガイド板４０が設けられているので、エジェクトされた記録用トレイ３２の先端部はガイド板４０で下支えされながら当接穴３７がピン４１に嵌合し、ベゼル３６が当接面４２に当接することによりエジェクト位置が規制される。
【００８１】
水平アーム２４は筐体１１に対して位置決めされ、記録用トレイ３２のエジェクト位置もレコーダ支持部材３１を介して筐体１１に対して位置決めされているので、これらのＣＤを記録用トレイ３２に載置する際にその載置位置を確認する必要がない。
【００８２】
従って、記録用トレイ３２が所定位置にエジェクトされると、水平アーム２４はＣＤのチャッキングを解除することにより、当該ＣＤは記録用トレイ３２の凹部４９に適正に載置されるようになる。
【００８３】
その後、記録用トレイ３２はローディングされて、パーソナルコンピュータからのデータを記録し、正しく記録が行われたかの検査が行われる。
【００８４】
正しく記録されない場合には、搬送装置２０は当該ＣＤを回収箱２２に搬送するが、正しく記録が行われた場合には当該ＣＤをレーベルプリンタ１８に搬送する。
【００８５】
レーベルプリンタ１８は、レコーダ１７より上に設けられているので、水平アーム２４は記録されてエジェクトされたＣＤをチャッキングし、そのまま昇動して印刷用トレイ４７より適宜高い位置で停止する。
【００８６】
水平アーム２４が停止すると、印刷用トレイ４７がエジェクトされて、ＣＤのチャッキングが解除されることにより当該印刷用トレイ４７の凹部５０に載置される。
【００８７】
ＣＤが印刷用トレイ４７に載置されると、パーソナルコンピュータから印刷データが送信されて、インクヘッド４６が往復運動すると共に、当該往復運動に同期して印刷用トレイ４７が一方方向に移動して、当該ＣＤのレーベルにインクを吹き付けて所望の印刷が行なわれる。
【００８８】
このようにして印刷が完了すると搬送装置２０は当該ＣＤを記録済スタッカ２１ｂに搬送して収納し、このような処理が記録用スタッカ２１ａに収納された記録用ＣＤ全てに対して自動的に行われる。
【００８９】
【発明の効果】
以上説明したように請求項１にかかる発明によれば、レコーダが記録用トレイを備えると共に、当該記録用トレイがエジェクトされた際に、該記録用トレイの上下左右方向及びエジェクト方向の位置決めを行うエジェクト位置決部を設けたので、安価、かつ、簡単な構成で記録用トレイのエジェクト位置決めが行えるようになり信頼性が向上する。
【００９０】
請求項２にかかる発明によれば、エジェクト位置決部を記録用トレイのベゼル中心位置に設けられた当接穴と、装置の筐体にレコーダを固定するレコーダ支持部材に設けられて、記録用トレイがエジェクトされた際に当接穴に挿嵌して当該記録用トレイの位置決めを行なう当接ピンとにより構成したので、安価、かつ、簡単な構成で記録用トレイのエジェクト位置決めが行えるようになり信頼性が向上する。
【００９１】
請求項３にかかる発明によれば、当接ピンを当接穴に挿嵌するピンと、当接穴の周辺ベゼルと当接してエジェクト方向の位置決めを行う当接面とにより構成したので、ピンが当接穴に挿嵌することにより記録用トレイの上下左右方向が位置決でき、またベゼルが当接面と当接してエジェクト方向の位置決ができるようになり安価、かつ、簡単な構成で記録用トレイのエジェクト位置決めが行えるようになり信頼性が向上する。
【００９２】
請求項４にかかる発明によれば、エジェクト位置決部にガイド板を設けたので、記録用トレイがエジェクトされた際に自重により先端部が垂れ下がっても、当接穴がスムースにピンに挿嵌されるように当該記録用トレイを下支えしながらガイドでき、安価、かつ、簡単な構成で記録用トレイのエジェクト位置決めが行えるようになり信頼性が向上する。
【図面の簡単な説明】
【図１】本発明の実施の形態の説明に適用されるディスク作製システムの外観斜視図である。
【図２】ディスク作製システムの内部構成を示す斜視図である。
【図３】ディスク作製システムの内部構成を示す上面図である。
【図４】ディスク作製システムの内部構成を示す正面図である。
【図５】ディスク作製システムの内部構成を示す右側面図である。
【図６】レコーダのエジェクト位置決め構成を示す部分斜視図である。
【図７】当接ピンの構成を示す図である。
【図８】スタッカにＣＤが収納された状態を示す斜視図である。
【図９】従来の技術の説明に適用されるディスク作製システムの分解斜視図である。
【符号の説明】
１０  ディスク作製システム
１１  筐体
１４，１５，１６  収納庫
１７  レコーダ
１８  レーベルプリンタ
１９  収納装置
２０  搬送装置
２１ｂ（２１）  記録済ＣＤスタッカ
２１ａ（２１）  記録用ＣＤスタッカ
２２  回収箱
２３  搬送チャック
２４  水平アーム
３１  レコーダ支持部材
３２  記録用トレイ
３５  エジェクト位置決部
３６  ベゼル
３７  当接穴
３９  当接ピン
４０  ガイド板
４１  ピン
４１  ピン部
４２  当接面
４４  ピン支持板
４９  凹部
５６  水平アーム口
【図１】
0003777990.tif 000002
【図２】
0003777990.tif 000003
【図３】
0003777990.tif 000004
【図４】
0003777990.tif 000005
【図５】
0003777990.tif 000006
【図６】
0003777990.tif 000007
【図７】
0003777990.tif 000008
【図８】
0003777990.tif 000009
【図９】
0003777990.tif 000010